(57)【要約】【課題】光量調節部を搭載したレンズ鏡筒において、部品点数を削減し、小型化を実現すること。【解決手段】レンズ鏡筒Ｌは、レンズ群Ｌ１ａ，Ｌ１ｂを保持するレンズ保持枠１を備える。撮像素子２０を保持するセンサ保持部材４は、レンズ保持枠１に対して光軸方向に相対移動可能である。ピント調整リング２は、光学系の光軸方向においてセンサ保持部材４とレンズ保持枠１との相対的な位置を変更する。光量調節を行う絞りユニット３は、絞り駆動用アクチュエータを備える。センサ保持部材４は、光軸と垂直なベース部から光軸方向に延在する延在部４ｆを備える。絞り駆動用アクチュエータは、光軸と垂直な平面にて、延在部４ｆの少なくとも一面と対向して配置される。【選択図】図４
2015018026.tif 000002
【特許請求の範囲】
【請求項１】
光学系および該光学系を構成するレンズを保持するレンズ保持部材と、
撮像素子を保持し、前記レンズ保持部材を前記光学系の光軸方向に沿って案内するセンサ保持部材と、
アクチュエータにより光量を調節する光量調節部を備え、
前記センサ保持部材は、前記光学系の光軸と垂直な部分から該光軸に平行な方向へ延びる延在部を有し、
前記アクチュエータは、前記光学系の光軸と垂直な平面内において、前記延在部に対向する位置に配置されることを特徴とするレンズ鏡筒。
【請求項２】
前記センサ保持部材の延在部は貫通孔部を有しており、
前記貫通孔部に充填される接着剤により、前記レンズ保持部材と前記センサ保持部材が固定されることを特徴とする請求項１に記載のレンズ鏡筒。
【請求項３】
前記貫通孔部は、前記光軸に平行な方向に沿って形成されていることを特徴とする請求項２に記載のレンズ鏡筒。
【請求項４】
絞りを駆動する前記アクチュエータは、その一部が前記光学系を構成するレンズの外径よりも光軸側に位置することを特徴とする請求項１ないし３のいずれか１項に記載のレンズ鏡筒。
【請求項５】
前記光学系の光軸方向において前記センサ保持部材と前記レンズ保持部材との相対的な位置を変更するピント調整リングと、
前記センサ保持部材と前記レンズ保持部材とを近づける方向に付勢する付勢手段を備えることを特徴とする請求項１ないし４のいずれか１項に記載のレンズ鏡筒。
【請求項６】
前記ピント調整リングは、前記アクチュエータよりも前記光学系の光軸側に配置されていることを特徴とする請求項５に記載のレンズ鏡筒。
【請求項７】
前記ピント調整リングは、その外周面部にギア部と、該ギア部の外径以下の径を有し、かつ前記センサ保持部材の内径部と嵌合する被嵌合部を備えることを特徴とする請求項５または６に記載のレンズ鏡筒。
【請求項８】
前記ピント調整リングは、その外径が前記光学系を構成するレンズの外径よりも小さいことを特徴とする請求項５ないし７のいずれか１項に記載のレンズ鏡筒。
【請求項９】
前記延在部は、前記光学系の光軸と垂直な部分から該光軸に平行な方向へ延びる複数の周壁部を有し、
前記付勢手段は引っ張りバネであり、前記光学系の光軸方向から見た場合、前記延在部の外形内に配置されることを特徴とする請求項５ないし８のいずれか１項に記載のレンズ鏡筒。
【請求項１０】
前記延在部は、前記光学系の光軸を挟んで対向して位置する複数の周壁部、および前記光学系の光軸と垂直な平面内において前記アクチュエータと対向する周壁部を有することを特徴とする請求項９に記載のレンズ鏡筒。
【請求項１１】
請求項１ないし１０のいずれか１項に記載のレンズ鏡筒を備えることを特徴とする撮像装置。
【発明の詳細な説明】
【技術分野】
【０００１】
本発明は、レンズ等の光学素子や撮像素子等の光電変換素子を含むレンズ鏡筒、該レンズ鏡筒を搭載したビデオカメラ及びデジタルスチルカメラ等の撮像装置に関する。
【背景技術】
【０００２】
カメラや交換レンズに搭載されるレンズ鏡筒には、フォーカス駆動機能を持たない、いわゆるパンフォーカスレンズがある。パンフォーカスレンズは、レンズの焦点を撮像素子面に結ぶために、レンズと撮像素子を光軸方向に相対移動させるピント調整機構を有する。またパンフォーカスレンズには、光量を調節する絞りユニットが搭載されているレンズユニットもある。
【０００３】
特許文献１に記載のレンズ鏡筒は、周方向に光軸方向の厚みが変化しているフォーカスリングを備える。フォーカスリングはレンズ枠ユニットの被写体側に当接して設けられ、光軸まわりに回動可能である。レンズ枠ユニットはシャッターベースに支えられた圧縮コイルバネによって、フォーカスリングに対して付勢される。つまり、レンズ枠ユニットは、メインフレームと、シャッターベースによって、光軸方向に挟持される構成である。フォーカスリングを回転させると、レンズ枠ユニットはフィルム面に対して光軸方向に移動し、ピント調整が可能となっている。
【先行技術文献】
【特許文献】
【０００４】
【特許文献１】特開２００２−３０３７７６号公報
【発明の概要】
【発明が解決しようとする課題】
【０００５】
しかしながら、前記特許文献１に開示された構成では、レンズ枠ユニットを光軸方向に移動可能にするための支持部材が、シャッターベースとメインフレームの２部品であるため、部品点数が多く、レンズユニットの大型化の原因となる。
本発明の目的は、光量調節部を搭載したレンズ鏡筒において、部品点数を削減し、小型化を実現することである。
【課題を解決するための手段】
【０００６】
上記課題を解決するために、本発明に係る装置は、光学系および該光学系を構成するレンズを保持するレンズ保持部材と、撮像素子を保持し、前記レンズ保持部材を前記光学系の光軸方向に沿って案内するセンサ保持部材と、アクチュエータにより光量を調節する光量調節部を備える。前記センサ保持部材は、前記光学系の光軸と垂直な部分から該光軸に平行な方向へ延びる延在部を有し、前記アクチュエータは、前記光学系の光軸と垂直な平面内において、前記延在部に対向する位置に配置される。
【発明の効果】
【０００７】
本発明によれば、光量調節部を搭載したレンズ鏡筒において、部品点数を削減し、小型化を実現できる。
【図面の簡単な説明】
【０００８】
【図１】本発明の実施形態に係る撮像装置の斜視図である。
【図２】図１の撮像装置のシステム構成を説明する構成図である。
【図３】本発明の実施形態に係るレンズ鏡筒の断面図である。
【図４】図３のレンズ鏡筒の分解斜視図である。
【図５】図３のレンズ鏡筒の正面図である。
【図６】図５にてＡ−Ａ線に沿って切断した場合の断面図（Ａ）、およびＢ−Ｂ線に沿って切断した場合の断面図（Ｂ）である。
【図７】センサ保持部材とピント調整リングを示す図である。
【図８】レンズ鏡筒を上面側から見た場合の図である
【図９】図８にてＡ−Ａ線に沿って切断した場合の断面図（Ａ）、およびＢ−Ｂ線に沿って切断した場合の断面図（Ｂ）である。
【図１０】ピント調整リングの形状を示す図である。
【発明を実施するための形態】
【０００９】
以下に、本発明の実施形態を、添付図面に基づいて詳細に説明する。
図１は、本実施形態に係る撮像装置の斜視図である。レンズ鏡筒Ｌはカメラ本体部Ｂに組み込まれている。レンズ鏡筒Ｌは、ビデオカメラに限らず、デジタルスチルカメラ等の撮像装置、携帯型電子機器に搭載可能である。
図２は、カメラシステムの構成の概略を示す図である。光学系Ｌ１はレンズ群を備え、被写体からの光を結像させる。光量調節部は入射光量を調節する光学デバイスであり、本実施形態では絞りユニット３を例示する。撮像素子２０は光学系Ｌ１により結像した光を受光して光電変換する。撮像素子２０の出力信号は、カメラ信号処理部２０１に出力されて各種信号処理を施され、映像信号に変換される。映像信号は、ＣＰＵ（中央演算処理装置）を備える制御部２０２を通じて不図示のディスプレイに画像表示され、また不図示の記録媒体（半導体メモリ、光学式ディスク、ハードディスク、磁気テープ等）に記録される。
制御部２０２は、映像信号に含まれる輝度信号成分に基づいて、絞りユニット駆動部２０３を制御する。絞りユニット駆動部２０３は、絞りユニット３を構成する絞りの開口径を、適正光量に対応するサイズに変更する。
【００１０】
次に、レンズ鏡筒Ｌの構造に関して、図３ないし図７を参照して詳細に説明する。図３はレンズ鏡筒Ｌの断面図である。図４はレンズ鏡筒Ｌの分解斜視図である。図５はレンズ鏡筒Ｌを被写体側から見た場合の正面図である。図６はレンズ鏡筒Ｌを所定の平面で切断した場合の断面図である。図７は撮像素子２０の保持部材４とピント調整リング２を被写体側から見た場合の正面図である。以下では、レンズ鏡筒Ｌにて被写体側を光軸方向前側とし、撮像面側を光軸方向後ろ側と定義して、各部の位置関係を説明する。
光学系Ｌ１は複数のレンズ群から構成される。本実施形態では光軸方向前側の第１レンズ群Ｌ１ａと、光軸方向後ろ側の第２レンズ群Ｌ１ｂを備える。レンズ保持枠１は、レンズ群を保持するレンズ保持部材である。ピント調整リング２は、その中心がレンズ群の光軸上に位置する回転部材であり、レンズ保持枠１の後端部寄りに配置される。ピント調整リング２は、光学系Ｌ１の光軸方向においてレンズ保持枠１とセンサ保持部材４との相対的な位置を変更するための部材である。
【００１１】
センサ保持部材４は撮像素子２０を保持する。撮像素子２０は取付用板金６に接着固定されている。接着後の取付用板金６および撮像素子２０は、センサ保持部材４に対して３箇所のビス７で締結固定される。ローパスフィルタ５は、撮像素子２０と第２レンズ群Ｌ１ｂとの間に配置される光学部材である。
レンズ保持枠１の後端寄りの外周部には、雄ネジ形状部１ｆが形成されている。ピント調整リング２の内径部には、雄ネジ形状部１ｆに対応する雌ネジ形状部２ａが形成されている。雄ネジ形状部１ｆと雌ネジ形状部２ａが螺合した状態で、ピント調整リング２はレンズ保持枠１に取り付けられる。
【００１２】
引っ張りバネ８ａと８ｂは付勢部材であり、それらの片側の端部がレンズ保持枠１のバネ掛け部に取り付けられ、反対側の端部がセンサ保持部材４のバネ掛け部に取り付けられる。これにより、レンズ保持枠１とセンサ保持部材４との間に、両部材を近づける方向への付勢力が与えられる。具体的には、引っ張りバネ８ａは、レンズ保持枠１のバネ掛け部１ｄ（図４参照）と、センサ保持部材４のバネ掛け部４ｄに各端部を引っ掛けた状態で使用する。引っ張りバネ８ｂは、レンズ保持枠１のバネ掛け部１ｅ（図６参照）と、センサ保持部材４のバネ掛け部４ｅに各端部を引っ掛けた状態で使用する。引っ張りバネ８ａと８ｂの使用により、ピント調整リング２を回転させた場合、レンズ保持枠１とセンサ保持部材４は、光軸方向においてガタ無く相対的に移動可能となる。
【００１３】
レンズ保持枠１の第１係合部１ａと１ｂ（図６（Ａ）参照）は、センサ保持部材４との係合部であり、円柱状のピン形状部である。第１係合部１ａは、センサ保持部材４に形成した孔部４ａと嵌合する。第１係合部１ｂはセンサ保持部材４に形成した長孔部４ｂと嵌合する。つまり、センサ保持部材４に設けられた被係合部は孔部４ａと長孔部４ｂである。第１係合部およびその被係合部の役割は以下の通りである。
・撮像素子２０に対してレンズ群を光軸と垂直な平面内で所定の位置出しすること。
・レンズ保持枠１とセンサ保持部材４を、光軸方向にて相対的に案内すること。
第１係合部１ａおよび１ｂは、光軸方向において、絞りユニット３を構成する２枚の絞り羽根３ｄと撮像素子２０との間に位置している。
絞りユニット３は、図４に示すように、レンズ保持枠１に対して光学系の光軸に直交する側面方向から取り付けられる。絞りユニット３は、２枚の絞り羽根３ｄを光軸と垂直な方向に移動可能な絞りを備える。絞りユニット３は、レンズ保持枠１に対してビス３ｂによって締結固定される。
【００１４】
レンズ保持枠１の第２係合部１ｃ（図４参照）は、センサ保持部材４との係合部であり、穴形状を有する。第２係合部１ｃは、センサ保持部材４に形成された円柱状のピン形状部４ｃと嵌合する。第２係合部１ｃおよびピン形状部４ｃの役割は、撮像素子２０に対して、レンズ群Ｌ１のあおりを防止しつつ、第１係合部とともに、レンズ保持枠１とセンサ保持部材４を、光軸方向にて相対的にスムーズに案内することである。そのために、第２係合部１ｃは、第１係合部１ａや１ｂに対して、光軸方向にて所定の距離で離隔した位置に配置される。本実施形態では、第２係合部１ｃは、光軸方向において、絞り羽根３ｄを挟んで、第１係合部１ａおよび１ｂとは反対側（光軸方向前側）に位置している。
【００１５】
次に、センサ保持部材４にて光軸方向に延びる延在部４ｆと、絞り駆動用アクチュエータ３ｅとの位置関係について、図８および図９を参照して詳細に説明する。図８は、レンズ鏡筒Ｌを上面側から見た場合の図である。図９（Ａ）は、図８にてＡ−Ａ線に沿う平面で絞りユニット３を切断した場合の断面図である。図９（Ｂ）は、図８にてＢ−Ｂ線に沿う平面により貫通孔部４ｊを通る位置で切断した場合の断面図である。
絞り駆動用アクチュエータ３ｅは、２枚の絞り羽根３ｄを移動させる。絞り駆動レバー３ｆは、インサート成型により一体化された、円筒形状の絞り駆動マグネット（不図示）を有する。絞り駆動マグネットの外側には、当該マグネットと対向する位置に、絞り駆動用コイル（不図示）が固定配置されている。さらにその外側にはマグネットの磁束を閉じるためのヨーク材（不図示）が配置されている。絞り駆動用コイルの通電により、絞り駆動マグネットが回転し、絞り駆動レバー３ｆが回転する。
【００１６】
複数の直進ガイドピン３ｈは、絞り羽根３ｄを図９（Ａ）の矢印３ｊに示す方向（光軸に直交する方向）にのみ直進運動し得るように規制する。絞り駆動レバー３ｆの先端部にそれぞれ形成された複数のピン部３ｆ１は、各絞り羽根３ｄの長孔部に係合している。絞り駆動レバー３ｆが回転すると、絞り駆動レバー３ｆのピン部３ｆ１と連結された絞り羽根３ｄは、矢印３ｊの方向に駆動される。これにより、絞り開口部３ｉに対して、絞り羽根３ｄの開閉動作が行われ、レンズ部に入射する光量が調節される。
尚、絞り駆動用アクチュエータとは、駆動マグネット、駆動用コイル、ヨーク材、また、場合によっては、それらの外側を覆う樹脂製ハウジング部分を含めた円筒形状部分の総称のことである。
【００１７】
センサ保持部材４は、光学系Ｌ１の光軸と垂直な平坦状部分であるベース部と、ベース部分から光軸に平行な方向に延びる延在部４ｆを備える。延在部４ｆは複数の周壁部として形成され、光軸中心Ｌ１ｃ（図９（Ｂ）参照）を基準とするときに、矢印４ｇ、４ｈ、４ｉの各方向に垂直な部分から構成される。延在部４ｆは、その少なくとも一部において厚み方向に貫通した貫通孔部４ｊを有する。本実施形態においては、ピント調整リング２を回転させ、撮像素子２０の撮像面と、光学系Ｌ１の焦点を結ぶ位置（ピント面）とを一致させた上で、その最適なピント位置にレンズ保持枠１が移動される。この状態で、複数の貫通孔部４ｊに接着剤４ｋを充填することで、レンズ保持枠１とセンサ保持部材４とが一体的に接着固定される。つまり、レンズ保持枠１とセンサ保持部材４の光軸方向における相対位置関係がずれないようにし、個々のレンズを最適なピント位置にて固定することができる。
【００１８】
貫通孔部４ｊは、図９（Ｂ）に示すようにレンズ鏡筒Ｌの上面側の２箇所と、光軸を挟んで、上面と対向する底面側の２箇所にて、光軸に平行な方向に沿う長孔部として設けられている。延在部４ｆに貫通孔部４ｊを形成することにより、限られたスペースの中で接着用スペースを確保し、接着後にピント面がずれないようすることができる。光学系Ｌ１の光軸を挟んで対向する位置に複数の貫通孔部４ｊを設ける理由は、光軸ズレを最小限に抑えるためである。例えば、接着剤４ｋの応力によって、レンズ鏡筒Ｌが引っ張られた場合、撮像素子２０に対してレンズ保持枠１は光軸方向のズレが起きる可能性がある。そこで、延在部４ｆにおいて互いに対向する位置に複数の貫通孔部４ｊを設けることで、接着剤４ｋの応力で引っ張られる力をキャンセルし、光軸ズレを防ぐことができる。
【００１９】
図８に示すように、センサ保持部材４の延在部４ｆに形成した貫通孔部４ｊは、光軸方向に長い孔形状を有する。その理由は、接着後の温度環境の変化や落下衝撃等により、レンズ保持枠１とセンサ保持部材４の光軸方向の相対位置関係がずれないようにするためである。すなわち、貫通孔部４ｊを可能な限り光軸方向に長くして接着用スペースを確保し、光軸方向の接着強度を高めることができる。
【００２０】
本実施形態では、図９（Ｂ）に示すように、光学系Ｌ１の光軸と垂直な平面内において、光軸中心Ｌ１ｃから矢印３ｇの方向に、絞り駆動用アクチュエータ３ｅを配置している。一方、センサ保持部材４の延在部４ｆは３つの周壁部から成る。各構成部分は、矢印４ｇ、４ｈ、４ｉの３方向に対してそれぞれ垂直な部分である。つまり、矢印４ｇの方向に垂直な第１部分４ｆｕはレンズ鏡筒Ｌの上面側の周壁部分であり、光軸方向に沿って延在する。矢印４ｈの方向に垂直な第２部分４ｆｓは絞り駆動用アクチュエータ３ｅと光軸中心Ｌ１ｃを挟んで対向する側面壁部分であり、光軸方向に沿って延在する。矢印４ｉの方向に垂直な第３部分４ｆｄはレンズ鏡筒Ｌの底面側の周壁部分であり、光軸方向に沿って延在する。
【００２１】
また、図９（Ｂ）に示すように、引っ張りバネ８ａは、延在部４ｆの第１部分４ｆｕと同じ範囲内に位置しており、矢印４ｇの方向において延在部４ｆの外形内に配置されている。また、引っ張りバネ８ｂは、延在部４ｆの第３部分４ｆｄと同じ範囲内に位置しており、矢印４ｉの方向において延在部４ｆの外形内に配置されている。
このように、光軸中心Ｌ１ｃを基準とした場合、絞り駆動用アクチュエータ３ｅを配置する方向（矢印３ｇ）と、延在部４ｆを配置する方向（矢印４ｇ、４ｈ、４ｉ）とが異なる。延在部４ｆに複数の貫通孔部４ｊを形成することで接着用スペースが確保され、また、引っ張りバネ８ａと８ｂの配置用スペースを確保することによって、光軸方向から見た場合に、これらのバネが延在部４ｆの外側にはみ出さない。したがって、レンズ鏡筒Ｌの大径化を伴わずに、ピント面がずれないための対策を講じることができる。しかも、部品点数を増やすことなく、ピント調整リング２を付勢できる。
【００２２】
ピント調整リング２は、外周部にギア部２ｄ（図１０）を有し、不図示の工具により回転される。工具のステッピングモータと連結されたギアがピント調整リング２のギア部２ｄと噛合され、ステッピングモータの回転によりピント調整リング２が光軸まわりに回転し、ピント調整が行われる。具体的には、工具によって、センサ保持部材４が天面側（図９（Ａ）の矢印４Ｕの方向）および底面側（図９（Ａ）矢印４Ｄの方向）から挟持される。ステッピングモータと連結されたギアの最終段部は、センサ保持部材４に形成されたギア挿入用の貫通孔４ｍ（図８参照）から挿入され、ピント調整リング２のギア部２ｄと連結される。ピント調整リング２の形状の詳細については後述する。
【００２３】
次に、絞り駆動用アクチュエータ３ｅ、光学系Ｌ１、ピント調整リング２の位置関係に関して、図６（Ｂ）を参照して詳細に説明する。図６（Ｂ）は図５のＢ−Ｂ線に沿う断面図である。
光学系Ｌ１は絞り羽根３ｄを挟んで、光軸方向前側の第１レンズ群Ｌ１ａと、後側の第２レンズ群Ｌ１ｂから成る。図６（Ｂ）にて第１レンズ群Ｌ１ａのガラスの径が最大となる部分を、寸法Ａで示す。また、第２レンズ群Ｌ１ｂのガラスの径が最大となる部分を寸法Ｂで示す。「Ａ＞Ｂ」の関係となっている。
【００２４】
絞り駆動用アクチュエータ３ｅは、光軸方向において、絞り羽根３ｄを基準としたときに、その後方、つまり第２レンズ群Ｌ１ｂの側に位置する。絞り駆動用アクチュエータ３ｅは、第２レンズ群Ｌ１ｂにできるだけ近づくように配置されており、第１レンズ群Ｌ１ａの最大径の部分よりも、光軸側に入り込んでいる。その入り込み量を寸法Ｇで示す。
また、光軸と垂直な方向からレンズ鏡筒Ｌを見た場合、絞り駆動用アクチュエータ３ｅは、ピント調整リング２と重なって配置されている。その重なりの範囲を寸法Ｈで示す。ピント調整リング２は、絞り駆動用アクチュエータ３ｅに対して相対的に光軸側に配置される。
【００２５】
ピント調整リング２はセンサ保持部材４と嵌合している。具体的には、ピント調整リング２の外形部２ｂは、センサ保持部材４の内径部４ｆと嵌合関係にある。ピント調整リング２とセンサ保持部材４の嵌合ガタは、ピント調整リング２とレンズ保持枠１のネジガタ（雄ネジ形状部１ｆと雌ネジ形状部２ａとのネジガタ）より小さい。ピント調整リング２とセンサ保持部材４とを嵌合させる目的は、径方向にてレンズ保持枠１とピント調整リング２がネジガタ分だけずれたときに生じる、レンズ保持枠１の光軸方向のズレを少なくし、ピント調整精度を高めることである。
尚、雄ネジ形状部１ｆと雌ネジ形状部２ａとのネジガタによる、レンズ保持枠１の光軸方向のズレを抑えるためには、ピント調整リング２とレンズ保持枠１を嵌合関係にする構成が考えられる。それに対して、本実施形態では、ピント調整リング２とセンサ保持部材４とを嵌合させることによって、絞り駆動用アクチュエータ３ｅを可能な限り光軸側に配置できるように工夫している。図６（Ｂ）において、センサ保持部材４の内径部４ｆを形成するためには円筒状のリブ部４ｇが必要である。このリブ部４ｇは径方向において、絞り駆動用アクチュエータ３ｅとオーバーラップした位置関係にある。そのオーバーラップ量を寸法Ｅで示す。仮に、リブ部４ｇをレンズ保持枠１に形成したとすると、ピント調整リング２との嵌合関係において、リブ部４ｇと絞り駆動用アクチュエータ３ｅとが干渉してしまう。その結果、絞り駆動用アクチュエータ３ｅを、径方向の外側に配置せざるを得なくなる。本実施形態のように円筒状のリブ部４ｇをセンサ保持部材４に形成することで、絞り駆動用アクチュエータ３ｅを極力、内側（光軸側）に配置させた構成を実現できる。
【００２６】
次に、図１０を参照してピント調整リング２の形状を詳細に説明する。ピント調整リング２の外形部２ｂにて、センサ保持部材４の内径部４ｆと嵌合するのは部分２ｃのみである。ピント調整リング２は外周面部にギア部２ｄと部分２ｃ（ギアが形成されていない被嵌合部）を有する。本実施形態において、ギア部２ｄの外径寸法と部分２ｃの外径寸法は同じである。その理由は、ギア部２ｄと部分２ｃとを繋げることでギアの強度を確保しつつ、ピント調整リング２の外径寸法を小さくするためである。ギア部２ｄの外径と同径の嵌合径でピント調整リング２をセンサ保持部材４と嵌合させることにより、ピント調整リング２の外径を最小に設計できる。尚、本実施形態に限らず、ギア部２ｄと部分２ｃを繋げて、ギアの強度が確保できる場合には、部分２ｃ（被嵌合部）の外径を、ギア部２ｄの外径以下に設定してもよい。ピント調整リング２の最大径は、図６（Ｂ）に示す第１レンズ群Ｌ１の外径寸法Ａよりも小さい。
【００２７】
本実施形態では、絞り羽根３ｄを挟んで光軸方向の両側に配置されるレンズ群のうち、外径寸法の小さい第２レンズ群Ｌ１ｂの外側（光軸から離れる径方向）のスペースを有効に活用できる。すなわち、当該スペースに絞り駆動用アクチュエータ３ｅと、ピント調整リング２の被嵌合部およびセンサ保持部材４の嵌合部を配置することができる。よって、絞りユニット３を含めたレンズ鏡筒Ｌの径方向の大きさを最小限に抑えることができる。
本実施形態によれば、ピント調整機構を有するレンズ鏡筒において、レンズ鏡筒と撮像素子とが光軸方向に相対移動可能な構成をコンパクトにまとめることができ、光軸に直交する径方向の小サイズ化に有効である。しかも、レンズ鏡筒に絞りユニットを搭載しつつ、部品点数を削減し、小型化を実現できる。よって、このレンズ鏡筒を搭載した光学機器や撮像装置を小型化することができる。
尚、本実施形態では、光軸方向に沿う延在部４ｆの各構成部の配置方向が、図９（Ｂ）に示す矢印４ｇ、４ｈ、４ｉの３方向である。これに限らず、４ｉ方向に直交する延在部だけを配置し、４ｇ、４ｈ方向には延在部を設けない構成でもよい。また、絞りユニット３は、レンズ保持枠１に対して、ビス３ｂによって締結固定されるが、絞りユニット３をセンサ保持部材４に締結固定した構成でもよい。
【符号の説明】
【００２８】
１  レンズ保持枠
２  ピント調整リング
３  絞りユニット
３ｅ  絞り駆動用アクチュエータ
４  センサ保持部材
４ｆ  延在部
８ａ,８ｂ  引っ張りバネ
【図１】
2015018026.tif 000003
【図２】
2015018026.tif 000004
【図３】
2015018026.tif 000005
【図４】
2015018026.tif 000006
【図５】
2015018026.tif 000007
【図６】
2015018026.tif 000008
【図７】
2015018026.tif 000009
【図８】
2015018026.tif 000010
【図９】
2015018026.tif 000011
【図１０】
2015018026.tif 000012